(57)【要約】      （修正有）【課題】眼科手術システムを提供する。【解決手段】潅流流体３を収容した潅流流体容器２を受けるコンソール１と、コンソールに挿入可能な、潅流流体を治療対象眼のための手術器具に誘導するカセット４と、潅流流体容器からカセットおよび手術器具までの潅流流体流路８と、第一の容積を有する第一のポンプ室１１と、そこから第一の弾性仕切り要素によって分離され、第二の容積を有する第一の駆動室とを含む第一の流体ポンプ１０と、第一の流体ポンプに並列に配置され、第三の容積を有する第二のポンプ室２１と、そこから第二の弾性仕切り要素により分離され、第四の容積を有する第二の駆動室２３とを含む第二の流体ポンプ２０と、を含み、第一の容積または第三の容積が１〜２５ｃｍ3の範囲内の大きさを有する眼科手術システム。【選択図】図１
2019022715.tif 000002
【特許請求の範囲】
【請求項１】
眼科手術システム（１００）において、
−  潅流流体（３）を収容した潅流流体容器（２）を受けるコンソール（１）と、
−  前記コンソール（１）に挿入可能な、前記潅流流体（３）を治療対象眼（６）のための手術器具（５）に誘導するカセット（４）と、
−  前記潅流流体容器（２）から前記カセット（４）および前記手術器具（５）までの潅流流体流路（８）と、
−  第一の容積を有する第一のポンプ室（１１）と、そこから第一の弾性仕切り要素（１２）によって分離され、第二の容積を有する第一の駆動室（１３）とを含む第一の流体ポンプ（１０）であって、前記第一の弾性仕切り要素（１２）はその縁（１４）によって前記第一の流体ポンプ（１０）内に永久的に取り付けられており、前記潅流流体流路（８）を介した前記潅流流体容器（２）からの潅流流体（３）は前記第一のポンプ室（１１）へと供給可能であり、前記第一の弾性仕切り要素（１２）の弾性変形を実現することを可能にする第一の駆動流体（１７）は、所定の圧力に基づいて前記第一の駆動室（１３）へと供給可能であり、その結果、前記第一の容積をより小さくすることができ、それと同時に、前記第二の容積をより大きくすることが可能である、第一の流体ポンプ（１０）と、
−  前記第一の流体ポンプ（１０）に並列に配置され、第三の容積を有する第二のポンプ室（２１）と、そこから第二の弾性仕切り要素（２２）により分離され、第四の容積を有する第二の駆動室（２３）とを含む第二の流体ポンプ（２０）であって、前記第二の弾性仕切り要素（２２）はその縁（２４）によって前記第二の流体ポンプ（２０）内に永久的に取り付けられており、前記潅流流体流路（８）を介した前記潅流流体容器（２）からの潅流流体（３）は前記第二のポンプ室（２１）へと供給可能であり、前記第二の弾性仕切り要素（２２）の弾性変形を実現することを可能にする第二の駆動流体（２７）は、所定の圧力に基づいて前記第二の駆動室（２３）へと供給可能であり、その結果、前記第三の容積をより小さくすることができ、それと同時に前記第四の容積をより大きくすることが可能である、第二の流体ポンプ（２０）と、
を含み、
前記潅流流体容器（２）から前記第一のポンプ室（１１）及び前記第二のポンプ室（２１）に供給された潅流流体（３）は、前記潅流流体流路（８）を介して、前記手術器具（５）に供給され、
前記第一の容積または前記第三の容積は、１〜２５ｃｍ3の内のいずれかの大きさをとることができる、眼科手術システム（１００）。
【請求項２】
−  治療対象眼（６）から吸引流体回収容器（５０）へと吸引流体を供給するための吸引流体流路（９）と、
−  第五の容積を有する第三のポンプ室（３１）と、そこから第三の弾性仕切り要素（３２）により分離され、第六の容積を有する第三の駆動室（３３）とを有する第三の流体ポンプ（３０）であって、前記第三の弾性仕切り要素（３２）はその縁（３４）によって前記第三の流体ポンプ（３０）内に永久的に取り付けられており、前記吸引流体流路（９）を介した前記手術器具（５）からの吸引流体は前記第三のポンプ室（３１）に供給可能であり、前記第三の弾性仕切り要素（３２）の弾性変形を実現することを可能にする第三の駆動流体（３７）は、所定の圧力に基づいて前記第三の駆動室（３３）へと供給可能であり、その結果、前記第五の容積をより大きくすることができ、それと同時に前記第六の容積をより小さくすることが可能である、第三の流体ポンプ（３０）と、
−  前記第三の流体ポンプ（３０）に並列に配置され、第七の容積を有する第四のポンプ室（４１）と、そこから第四の弾性仕切り要素（４２）によって分離され、第八の容積を有する第四の駆動室（４３）とを有する第四の流体ポンプ（４０）であって、前記第四の弾性仕切り要素（４２）はその縁（４４）によって前記第四の流体ポンプ（４０）内に永久的に取り付けられており、前記吸引流体流路（９）を介した前記手術器具（５）からの吸引流体は前記第四のポンプ室（４１）に供給可能であり、前記第四の弾性仕切り要素（４２）の弾性変形を実現することを可能にする第四の駆動流体（４７）は、所定の圧力に基づいて前記第四の駆動室（４３）へと供給可能であり、その結果、前記第七の容積をより大きくすることができ、それと同時に前記第八の容積をより小さくすることが可能である、第四の流体ポンプ（４０）と、
をさらに含み、
前記手術器具（５）から前記第三のポンプ室（３１）及び前記第四のポンプ室（４１）に供給された吸引流体は、前記吸引流体流路（９）を介して、前記吸引流体回収容器（５０）に供給され、
前記第五の容積または前記第七の容積は、１〜２５ｃｍ3の内のいずれかの大きさをとることができる、請求項１に記載のシステム（１００）。
【請求項３】
眼科手術システム（１００）において、
−  潅流流体（３）を収容した潅流流体容器（２）を受けるコンソール（１）と、
−  前記コンソール（１）に挿入可能な、前記潅流流体（３）を治療対象眼（６）のための手術器具（５）に誘導するカセット（４）と、
−  前記潅流流体容器（２）から前記カセット（４）および前記手術器具（５）までの潅流流体流路（８）と、
−  第一の容積を有する第一のポンプ室（１１）と、そこから第一の弾性仕切り要素（１２）によって分離され、第二の容積を有する第一の駆動室（１３）とを含む第一の流体ポンプ（１０）であって、前記第一の弾性仕切り要素（１２）はその縁（１４）によって前記第一の流体ポンプ（１０）内に永久的に取り付けられており、前記潅流流体流路（８）を介した前記潅流流体容器（２）からの潅流流体（３）は前記第一のポンプ室（１１）へと供給可能であり、前記第一の弾性仕切り要素（１２）の弾性変形を実現することを可能にする第一の駆動流体（１７）は、所定の圧力に基づいて前記第一の駆動室（１３）へと供給可能であり、その結果、前記第一の容積をより小さくすることができ、それと同時に、前記第二の容積をより大きくすることが可能である、第一の流体ポンプ（１０）と、
−  前記第一の流体ポンプ（１０）に並列に配置され、第三の容積を有する第二のポンプ室（２１）と、そこから第二の弾性仕切り要素（２２）により分離され、第四の容積を有する第二の駆動室（２３）とを含む第二の流体ポンプ（２０）であって、前記第二の弾性仕切り要素（２２）はその縁（２４）によって前記第二の流体ポンプ（２０）内に永久的に取り付けられており、前記潅流流体流路（８）を介した前記潅流流体容器（２）からの潅流流体（３）は前記第二のポンプ室（２１）へと供給可能であり、前記第二の弾性仕切り要素（２２）の弾性変形を実現することを可能にする第二の駆動流体（２７）は、所定の圧力に基づいて前記第二の駆動室（２３）へと供給可能であり、その結果、前記第三の容積をより小さくすることができ、それと同時に前記第四の容積をより大きくすることが可能である、第二の流体ポンプ（２０）と、
を含み、
前記潅流流体容器（２）から前記第一のポンプ室（１１）及び前記第二のポンプ室（２１）に供給された潅流流体（３）は、前記潅流流体流路（８）を介して、前記手術器具（５）に供給され、
前記第一の容積または前記第三の容積は、１〜２５ｃｍ3の内のいずれかの大きさをとることができ、かつ前記第一の容積及び前記第三の容積は同じ大きさである、眼科手術システム（１００）。
【請求項４】
−  治療対象眼（６）から吸引流体回収容器（５０）へと吸引流体を供給するための吸引流体流路（９）と、
−  第五の容積を有する第三のポンプ室（３１）と、そこから第三の弾性仕切り要素（３２）により分離され、第六の容積を有する第三の駆動室（３３）とを有する第三の流体ポンプ（３０）であって、前記第三の弾性仕切り要素（３２）はその縁（３４）によって前記第三の流体ポンプ（３０）内に永久的に取り付けられており、前記吸引流体流路（９）を介した前記手術器具（５）からの吸引流体は前記第三のポンプ室（３１）に供給可能であり、前記第三の弾性仕切り要素（３２）の弾性変形を実現することを可能にする第三の駆動流体（３７）は、所定の圧力に基づいて前記第三の駆動室（３３）へと供給可能であり、その結果、前記第五の容積をより大きくすることができ、それと同時に前記第六の容積をより小さくすることが可能である、第三の流体ポンプ（３０）と、
−  前記第三の流体ポンプ（３０）に並列に配置され、第七の容積を有する第四のポンプ室（４１）と、そこから第四の弾性仕切り要素（４２）によって分離され、第八の容積を有する第四の駆動室（４３）とを有する第四の流体ポンプ（４０）であって、前記第四の弾性仕切り要素（４２）はその縁（４４）によって前記第四の流体ポンプ（４０）内に永久的に取り付けられており、前記吸引流体流路（９）を介した前記手術器具（５）からの吸引流体は前記第四のポンプ室（４１）に供給可能であり、前記第四の弾性仕切り要素（４２）の弾性変形を実現することを可能にする第四の駆動流体（４７）は、所定の圧力に基づいて前記第四の駆動室（４３）へと供給可能であり、その結果、前記第七の容積をより大きくすることができ、それと同時に前記第八の容積をより小さくすることが可能である、第四の流体ポンプ（４０）と、
をさらに含み、
前記手術器具（５）から前記第三のポンプ室（３１）及び前記第四のポンプ室（４１）に供給された吸引流体は、前記吸引流体流路（９）を介して、前記吸引流体回収容器（５０）に供給され、
前記第五の容積または前記第七の容積は、１〜２５ｃｍ3の内のいずれかの大きさをとることができ、かつ前記第五の容積及び前記第七の容積は同じ大きさである、請求項３に記載のシステム（１００）。
【請求項５】
前記第一の弾性仕切り要素（１２）および前記第二の弾性仕切り要素（２２）のそれぞれの位置は、それぞれ第一のセンサ（１９）および第二のセンサ（２９）によって非接触式に検出可能である、請求項１または３に記載のシステム（１００）。
【請求項６】
前記第三の弾性仕切り要素（３２）および前記第四の弾性仕切り要素（４２）のそれぞれの位置は、それぞれ第三のセンサ（３９）および第四のセンサ（４９）によって非接触式に検出可能である、請求項２または４に記載のシステム（１００）。
【請求項７】
前記潅流流体（３）は前記第一のポンプ室（１１）および前記第二のポンプ室（２１）から同時に第一の圧力（ｐＩＲＲ１）で前記潅流流体流路（８）を介して前記手術器具（５）に供給可能である、請求項１〜６の何れか１項に記載のシステム（１００）。
【請求項８】
前記吸引流体は、前記第三のポンプ室（３１）および前記第四のポンプ室（４１）の中に同時に第二の圧力（ｐＡＳＰ１）で供給可能である、請求項２または４に記載のシステム（１００）。
【請求項９】
前記潅流流体（３）のための前記第一のポンプ室（１１）および前記第二のポンプ室（２１）ならびに／または前記吸引流体のための前記第三のポンプ室（３１）および前記第四のポンプ室（４１）は、それぞれ入口弁（１５、２５；３５、４５）および出口弁（１６、２６；３６、４６）を有し、それぞれの前記出口弁（１６、２６；３６、４６）がそれぞれの前記入口弁（１５、２５；３５、４５）の上方に空間的に配置される、請求項２または４に記載のシステム（１００）。
【請求項１０】
前記第一のポンプ室（１１）および前記第二のポンプ室（２１）は前記カセット（４）の中に配置され、前記第一の駆動室（１３）および前記第二の駆動室（２３）は前記コンソール（１）の中に配置される、請求項１〜９の何れか１項に記載のシステム（１００）。
【請求項１１】
前記第三のポンプ室（３１）および前記第四のポンプ室（４１）は前記カセット（４）の中に配置され、前記第三の駆動室（３３）および前記第四の駆動室（４３）は前記コンソール（１）の中に配置される、請求項２または４に記載のシステム（１００）。
【発明の詳細な説明】
【技術分野】
【０００１】
本発明は、眼科手術システムに関する。
【背景技術】
【０００２】
医学的に白内障と呼ばれる水晶体の曇りの治療には様々な手術法がある。最も広く採用
されている手法は、水晶体超音波乳化吸引術であり、細い中空針が眼の水晶体の中に刺入
され、超音波振動を誘発する。そのすぐ周囲で、振動する中空針により水晶体が乳化し、
その結果、水晶体の小片をポンプによってラインを通じて吸引できる。この工程中、潅流
流体（洗浄流体）が供給され、水晶体小片および流体の吸引は吸引ラインを通じて行われ
る。水晶体が完全に乳化し、除去された後、空になった水晶体嚢に新しい人工水晶体を挿
入でき、そのため、このようにして治療された患者は良好な視力を取り戻すことができる
。
【０００３】
手術中、眼の水晶体を超音波で振動する中空針により破砕している間に、比較的大きい
水晶体小片が中空針の先端に到達するのは不可避であり、前記針先端またはその吸引口が
詰まる。この状態を閉塞と呼ぶ。このような場合、吸引ラインで典型的に使用される蠕動
ポンプにより、閉塞していない動作と比較して、はるかに強力な吸引圧を発生させる。そ
れに加えて、中空針を移動させるために高エネルギーを投入でき、それによって中空針を
詰まらせている水晶体小片が細かく壊される。あるいは、蠕動ポンプの移動方向を逆転さ
せることによってもまた、水晶体小片を針の先端から除去でき、それによって、流体と細
かい水晶体小片の通常の吸引を再び進めることができる。したがって、このような瞬間に
閉塞が解消され、それ以前に存在していた高い負圧が急速に低下する。その結果として行
われる吸引により、小さい水晶体小片と流体が吸引ラインに吸い込まれるだけでなく、水
晶体嚢の一部が中空針と接触することにもなりうる。水晶体嚢に穴が開くと、これは患者
にとって重大な合併症の原因となり、この合併症を絶対的に回避しなければならない。さ
らに、吸引中、大量の流体が眼球前部から吸引される可能性があり、そのため眼球虚脱の
危険性がある。これもまた、患者にとって重大な合併症の原因となりえ、この合併症は絶
対的に回避しなければならない。
【０００４】
流体を誘導するための別のシステムは、（特許文献１）、（特許文献２）、および（特
許文献３）に記載されている。
【先行技術文献】
【特許文献】
【０００５】
【特許文献１】米国特許出願公開第２０１５／０１６４６９０Ａ１号明細書
【特許文献２】国際公開第９３／１８８０２Ａ１号パンフレット
【特許文献３】米国特許出願公開第２０１５／０２９７４０５Ａ１号明細書
【発明の概要】
【発明が解決しようとする課題】
【０００６】
本発明の目的は、手術時間中ずっと、眼圧を５０ｍｍＨｇ未満の低い数値に保持する眼
科手術システムを提供することである。手術中、眼圧を事実上一定に保持することが意図
され、これはまた、閉塞の開始時および解消後にも達成される。これが短時間の手術中に
も長時間の手術中にも可能であるようにすることが意図される。さらに、システムは費用
対効果が高いものとすることが意図される。
【課題を解決するための手段】
【０００７】
目的は、特許請求項の独立項の主旨により達成される。本発明の有利な発展形は、従属
項の主旨である。
【０００８】
本発明による眼科手術システムは、
−  潅流流体を収容した潅流流体容器を受けるコンソールと、
−  コンソールに挿入可能な、潅流流体を治療対象眼のための手術器具に誘導するカセッ
トと、
−  潅流流体容器からカセットおよび手術器具までの潅流流体流路と、
−  第一の容積を有する第一のポンプ室と、そこから第一の弾性仕切り要素によって分離
され、第二の容積を有する第一の駆動室とを含む第一の流体ポンプであって、第一の弾性
仕切り要素はその縁によって第一の流体ポンプ内に永久的に取り付けられており、潅流流
体流路からの潅流流体は第一のポンプ室へと供給可能であり、第一の弾性仕切り要素の弾
性変形を実現することを可能にする第一の駆動流体は、所定の圧力に基づいて第一の駆動
室へと供給可能であり、その結果、第一の容積をより小さくすることができ、それと同時
に、第二の容積をより大きくすることが可能である、第一の流体ポンプと、
−  第一の流体ポンプに並列に配置され、第三の容積を有する第二のポンプ室と、そこか
ら第二の弾性仕切り要素により分離され、第四の容積を有する第二の駆動室とを含む第二
の流体ポンプであって、第二の弾性仕切り要素はその縁によって第二の流体ポンプ内に永
久的に取り付けられており、潅流流体流路からの潅流流体は第二のポンプ室へと供給可能
であり、第二の弾性仕切り要素の弾性変形を実現することを可能にする第二の駆動流体は
、所定の圧力に基づいて第二の駆動室へと供給可能であり、その結果、第三の容積をより
小さくすることができ、それと同時に第四の容積をより大きくすることが可能である、第
二の流体ポンプと、
を含み、
第一の容積または第三の容積は、１〜２５ｃｍ3の範囲内の大きさを有する。
【０００９】
したがって、システムは第一の流体ポンプと、それに並列に接続された第二の流体ポン
プとを含む。例えば、第一のポンプの場合、第一のポンプ室がほとんど空になると、第二
の流体ポンプを接続できる。第二の流体ポンプがその第二のポンプ室で潅流流体を潅流流
体流路に放出している間に、第一の流体ポンプを再充填することができ、したがって、第
二のポンプ室が空になったら、第一の流体ポンプを再び接続できる。これは、第一の流体
ポンプおよび第二の流体ポンプの交互動作が可能であることを意味する。それによって、
手術中に、非常に変動の小さい体積流れを実現できる。これは、事実上一定の眼圧を保持
できることを意味する。並列に接続された第一および第二の流体ポンプの交互動作は、潅
流流体容器の中に潅流流体がなくなるまで行うことができる。これは、短時間の手術中お
よび長時間の手術中に、潅流流体の流れを中断することなく、システムを動作させること
が可能であることを意味する。
【００１０】
流体ポンプは各々、その縁によってそれぞれの流体ポンプ内に永久的に取り付けられて
いる弾性仕切り要素を含む。弾性仕切り要素の移動は駆動流体によって実現され、これは
それぞれの流体ポンプの、それに関係する駆動室の中に提供される。したがって、弾性仕
切り要素は、ピストンの場合のようにプランジャまたはロッドではなく、駆動流体によっ
て移動される。これによって、ガクンとならない非常に急速な移動が可能となり、すなわ
ち、ピストンの場合のような初期の引っ掛かりとその後の滑り（「スティックスリップ効
果」と呼ばれる）がない。このような弾性仕切り要素はまた、小さい質量にも製作でき、
この要素により、動的移動、およびしたがって潅流流体流路の中の動的流体変化が可能と
なる。弾性仕切り要素は特定の流体ポンプの縁に取り付けられているため、良好なシール
を実現できる。したがって、流体ポンプの縁では弾性仕切り要素は移動しない。したがっ
て、ピストンポンプの場合に必要となる、良好な滑りのための潤滑剤を省くことができる
。これは特に有利であり、それは本発明によるシステムでは、上記のことから潅流流体が
汚染されるリスクがないからである。反対に、流体ポンプの作動中に潅流流体を確実に滅
菌状態に保つことができる。それに加えて、弾性仕切り要素による良好なシーリング効果
により、何れの所望の駆動流体でも使用できる。前記流体が同様に潅流流体であることも
想定可能である。しかしながら、定常的に圧縮された空気ラインからの圧縮空気を関係さ
せることも可能である。弾性仕切り要素による良好なシーリング効果によって、ポンプ室
の潅流流体と駆動室の駆動流体との間の接触が確実になくなる。
【００１１】
第一のポンプ室の第一の容積または第二のポンプ室の第三の容積は、１〜２５ｃｍ3の
範囲内の大きさ、好ましくは１〜１５ｃｍ3の範囲内の大きさ、特に好ましくは１〜１０
ｃｍ3の範囲内の大きさである。これは比較的小さい容積を表す。しかしながら、流体ポ
ンプの交互動作を提供できることから、長時間の手術が中断せずに可能となる。さらに、
小さい第一および第三の容積は有利であり、これは、潅流流体流路の中の体積流れの比較
的小さい変化によって、第一および第三の容積がそれに比例して比較的大きく変化するか
らである。これは、体積流れの変化の記録の感度が比較的高いことを意味する。さらに、
小さい第一の容積および／または第三の容積は、小さい質量だけが運ばれ、したがって、
システム全体を小さく、コンパクトにし、それゆえ、費用対効果の高い方法で実現できる
ことを意味する。
【００１２】
好ましくは、第一の容積は第三の容積と同じ大きさである。これによって、関係する弁
と事実上同じ切換え周期の対称の構成を実現することができる。
【００１３】
１つの発展形によれば、本発明によるシステムは、
−  治療対象眼から吸引流体回収容器へと吸引流体を供給するための吸引流体流路と、
−  第五の容積を有する第三のポンプ室と、そこから第三の弾性仕切り要素により分離さ
れ、第六の容積を有する第三の駆動室とを有する第三の流体ポンプであって、第三の弾性
仕切り要素はその縁によって第三の流体ポンプ内に永久的に取り付けられており、吸引流
体流路からの吸引流体は第三のポンプ室に供給可能であり、第三の弾性仕切り要素の弾性
変形を実現することを可能にする第三の駆動流体は、所定の圧力に基づいて第三の駆動室
へと供給可能であり、その結果、第五の容積をより大きくすることができ、それと同時に
第六の容積をより小さくすることが可能である、第三の流体ポンプと、
−  第三の流体ポンプに並列に配置され、第七の容積を有する第四のポンプ室と、そこか
ら第四の弾性仕切り要素によって分離され、第八の容積を有する第四の駆動室とを有する
第四の流体ポンプであって、第四の弾性仕切り要素はその縁において第四の流体ポンプ内
に永久的に取り付けられており、吸引流体流路からの吸引流体は第四のポンプ室に供給可
能であり、第四の弾性仕切り要素の弾性変形を実現することを可能にする第四の駆動流体
は、所定の圧力に基づいて第四の駆動室へと供給可能であり、その結果、第七の容積をよ
り大きくすることができ、それと同時に第八の容積をより小さくすることが可能である、
第四の流体ポンプと、
をさらに含み、
第五の容積または第七の容積は、１〜２５ｃｍ3の範囲内の大きさを有する。
【００１４】
したがって、吸引流体流路の中で、潅流流体流路と同様の構成が提供される。第三の流
体ポンプは第四の流体ポンプに並列に配置されて、吸引流体を眼から吸引流体回収容器へ
と送出する。ポンプは交互に動作可能であり、各々が弾性仕切り要素を含み、それによっ
てそれぞれのポンプ室とそれに関連する駆動室との間を密閉状態に仕切ることができる。
１〜２５ｃｍ3の範囲内の大きさ、好ましくは１〜１５ｃｍ3の範囲内の大きさ、および特
に好ましくは１〜１０ｃｍ3の範囲の大きさである比較的小さい第五の容積または第七の
容積によって、吸引ライン内の圧力の変化に対する急速で動的な応答が可能となる。例え
ば、手術器具の針が水晶体小片で詰まる、すなわち閉塞すると、吸引流体は吸引流体流路
内に流れ込まなくなる。詰まりが解消されると、この状態は、流体が眼からほとんど突然
吸引されることにより、非常に急速に変化する。このことが特定されると、この変化は、
非常に動的に動作可能な第三および第四の流体ポンプによって有効に取り扱うことができ
、それによって事実上一定の眼圧を実現することが可能となる。
【００１５】
この実施形態の別の利点は、手術時間中ずっと、脈動しない吸引が可能となる点である
。これは、蠕動ポンプによって吸引流体を搬送するシステムと比較して顕著な改善を示す
。脈動しない動作は有利であり、これは、上記のことから治療対象眼が手術終了するまで
動かないようにすることができ、顕微鏡で観察中の外科医に安定した画像が提示されるか
らである。
【００１６】
好ましくは、第五の容積は第七の容積と同じ大きさである。これによって、関係する弁
と事実上同じ切換え周期の対称の構造を実現できる。
【００１７】
別の実施形態によれば、第一の弾性仕切り要素および第二の弾性仕切り要素のそれぞれ
の位置は、それぞれ第一および第二のセンサによって非接触式に検出可能である。第一お
よび第二の弾性仕切り要素の位置が分かっていることによって、潅流流体用流路内の体積
流れを間接的に確立できる。したがって、第一および第二の駆動流体によって、潅流流体
流路内の体積流れに直接影響を与えることが可能となる。これは、閉塞の打開が起こり、
潅流流体の体積流の急速で動的な変化が事実上一定の眼圧を達成するために必要である場
合に特に重要である。
【００１８】
別の利点は、このように体積流れを間接的に確立する場合、潅流流体中の気泡がわずか
であることである。しかしながら、先行技術による眼科手術システムにおいて慣例的に行
われる圧力測定または体積流れ測定においては、気泡、特に泡が測定結果に大きな障害と
なる影響を及ぼし、それを大幅に歪める可能性がある。それゆえ、潅流流体中の気泡が避
けられない場合でも、この実施形態によれば、潅流流体流路内の体積流れの正確な調整と
、それゆえ、その後に発生する眼内の圧力調整を実現できる。
【００１９】
さらに、第三の弾性仕切り要素および第四の弾性仕切り要素のそれぞれの位置を、それ
ぞれ第三および第四のセンサによって非接触式に検出可能とすることができる。これは、
第一の弾性仕切り要素および第二の弾性仕切り要素の位置を記録することに関する上述の
利点をはるかによく実現できることを意味する。したがって、吸引流体流路の中に体積流
れを間接的に確立することも可能であり、それによって、吸引流体流路内の体積流れの急
速で動的な調整を実現できる。
【００２０】
別の実施形態によれば、潅流流体は、第一および第二のポンプ室から同時に第一の圧力
で潅流流体流路へと手術器具の方向に供給できる。例えば、第一のポンプ室がほとんど空
であるとき、第一のポンプ室が空の状態になる直前に、潅流流体を第二のポンプ室から潅
流流体流路へと供給することが可能となる。２つのポンプ室が相互に並列に接続されてい
るため、２つのポンプ室のそれぞれの出口には同じ圧力がある。このような実施形態は有
利であり、それは、上記のことから、供給された潅流流体の連続的な通常の動作を実現で
き、ポンプ室が交互動作する場合に、潅流流体流路内の体積流れおよび圧力の変動が起こ
らないからである。
【００２１】
さらに、吸引流体を第三および第四のポンプ室に同時に第二の圧力で供給できる。これ
は、上述の実施形態の場合と同じ利点を、吸引流体流路の中でも実現できることを意味す
る。
【００２２】
別の実施形態において、潅流流体のための第一および第二のポンプ室および／または吸
引流体のための第三および第四のポンプ室は、各々の場合で、入口弁と出口弁を有し、特
定の出口弁は特定の入口弁の上方に空間的に配置される。これは、潅流流体または吸引流
体内に存在しうる気泡が急速に上方に漏出でき、ポンプ室の一方に比較的大量に堆積しえ
ないため、有利である。
【００２３】
好ましくは、第一および第二のポンプ室はカセット内に配置され、第一および第二の駆
動室はコンソール内に配置される。第一の容積を有する第一のポンプ室および第三の容積
を有する第二のポンプ室は各々、比較的小さい容積を有し、そのため、カセットを小さく
、コンパクトな設計にすることができる。カセットは使い捨ての物品であるため、消費コ
ストも削減できる。それゆえ、本発明によるシステムのこのような実施形態により、費用
対効果の高い動作が可能となる。
【００２４】
それに加えて、またはその代わりに、第三および第四のポンプ室はカセット内に配置で
き、第三および第四の駆動室はコンソール内に配置できる。これは、小さくコンパクトな
カセットの構成と、それゆえ費用対効果の高い構成が同様に可能であることを意味する。
【００２５】
本発明の別の利点および特徴を、下記のような図面を参照しながら説明する。
【図面の簡単な説明】
【００２６】
【図１】本発明によるシステムの第一の実施形態の概略図を示す。
【図２】本発明によるシステムの第一および第二のポンプ室の入口および出口弁の切換え状態の概略図を示す。
【図３】本発明によるシステムの第三および第四のポンプ室の入口および出口弁の切換え状態の概略図を示す。
【図４】本発明によるシステムの時間に応じた圧力プロファイルと体積流れプロファイルの概略的なグラフを示す。
【発明を実施するための形態】
【００２７】
図１は、本発明による１つの実施形態による眼科手術システム１００の概略図を示す。
システム１００はコンソール１を含み、コンソール１に潅流流体３の入っている潅流流体
容器２を連結できる。それに加えて、システム１００はカセット４を含み、カセット４は
コンソール１に挿入できる。カセット４は、潅流流体３を治療対象眼６のための手術器具
５に誘導する役割を果たす。手術器具５は、例えば超音波水晶体乳化手術によって眼６の
水晶体７を破砕するのに適しており、その結果できる水晶体小片および潅流流体３を吸引
することが可能である。
【００２８】
システム１００は潅流流体流路８をさらに含み、これは潅流流体容器２からカセット４
に、またそこから手術器具５へと延びる。それに加えて、システム１００は第一の流体ポ
ンプ１０を含み、これは第一の容積を有する第一のポンプ室１１と、そこから第一の弾性
仕切り要素１２により分離され、第二の容積を有する第一の駆動室１３とを含む。第一の
弾性仕切り要素１２は、その縁１４によって流体ポンプ１０の中に永久的に取り付けられ
ている。
【００２９】
潅流流体３は、潅流流体流路８によって第一のポンプ室１１に供給可能である。潅流流
体３は第一の入口弁１５へと流れることができ、入口弁１５が開位置にあるときには第一
のポンプ室１１に到達でき、出口弁１６が開くと再び第一のポンプ室１１から出ることが
できる。第一の駆動流体１７は、比例弁１８によって、第一のポンプ室１１に隣接して配
置された第一の駆動室１３に供給できる。第一の駆動室１３内の第一の駆動流体１７と第
一のポンプ室１１の潅流流体３との間の圧力差に応じて、第一の弾性仕切り要素１２の弾
性変形が起こる。第一の駆動室１３内の圧力が第一のポンプ室１１内の圧力より高いと、
第一のポンプ室１１の第一の容積がより小さくなり、それと同時に、第一の駆動室１３の
第二の容積がより大きくなる。したがって、入口弁１５が閉じ、出口弁１６が開いている
と、潅流流体３を第一のポンプ室１１から外に誘導できる。第一の弾性仕切り要素１２の
位置は、第一のセンサ１９によって記録でき、これは第一の流体ポンプ１０の外側に取り
付けられている。好ましくは、第一のセンサ１９は誘導性または容量式位置センサである
。
【００３０】
潅流流体流路８は、カセット４の中で第一の分枝流路８１および第二の分枝流路８２に
分かれ、これらは相互に平行に接続されている。潅流流体３はしたがって、第二の分枝流
路８２と、そこから第二の流体ポンプ２０にも到達できる。第二の入口弁２５を通過した
後に、これは第二の流体ポンプ２０の第二のポンプ室２１に入り、第二の出口弁２６が開
くと第二のポンプ室２１から再び流出できる。
【００３１】
第一の出口弁１６を通過後に、潅流流体は分枝流路８３に流れ込むことができ、また、
第二の出口弁２６を通過後に、潅流流体は分枝流路８４に流れ込むことができる。分枝流
路８３および８４は相互に出会い、合流し、したがって、潅流流体は１本の潅流流体流路
８の中のみを流れる。
【００３２】
第三の容積を有する第二のポンプ室２１に隣接して第二の駆動室２３が配置され、これ
は第四の容積を有し、第二のポンプ室２１および第二の駆動室２３は相互から、第二の弾
性仕切り要素２２によって分離されている。第二の弾性仕切り要素２２は、その縁２４に
よって第二の流体ポンプ２０の中に永久的に取り付けられている。第二の駆動流体２７は
比例弁２８によって、所定の圧力に基づいて第二の駆動室２３に供給できる。
【００３３】
第二のポンプ室２１と第二の駆動室２３との間の圧力差に応じて、それらの間に配置さ
れた第二の弾性仕切り要素２２は弾性変形できる。例えば、第二の駆動室２３内の圧力が
第二のポンプ室２１内より高いと、第二の駆動室２３の第四の容積はより大きくなり、そ
れと同時に、第二のポンプ室２１の第三の容積はより小さくなる。その結果、潅流流体３
を第二のポンプ室２１から潅流流体流路８の分枝流路８４の中に誘導できる。第二の弾性
仕切り要素２２の位置は第二のセンサ２９によって、好ましくは非接触的に、例えば誘導
または容量方式で記録できる。
【００３４】
潅流流体が、出口弁１６および／または２６を通過後に第一の流体ポンプ１０および／
または第二の流体ポンプ２０によって潅流流体流路８の中へとさらに案内されると、それ
は手術器具５に到達する。前記器具５は例えば、眼６の水晶体７を小さい水晶体小片に破
砕できる超音波水晶体乳化吸引用ハンドピースとすることができる。
【００３５】
眼の水晶体７の破砕中、小片は供給された潅流流体と共に吸引される。本発明によれば
、これは第三の流体ポンプ３０とそれに並列に接続された第四の流体ポンプ４０によって
行われる。水晶体小片と水晶体の破砕中に汚染された潅流流体は、以下、まとめて吸引流
体と呼ぶが、入口弁３５が開いていると、第一の分枝流路９１および第二の分枝流路９２
に分岐する吸引流体流路９に沿って、第三の流体ポンプ３０に到達する。
【００３６】
第三の流体ポンプ３０は、第三のポンプ室３１と、それに隣接して配置された第三の駆
動室３３とを含み、これらの室は相互から第三の弾性仕切り要素３２によって分離されて
いる。第三の弾性仕切り要素３２は、その縁３４によって第三の流体ポンプ３０に永久的
に結合されている。第三の駆動流体３７は、比例弁３８によって第三の駆動室３３に誘導
できる。入口弁３５が開いているときに吸引流体が第三のポンプ室３１に流れ込むと、前
記流体は、第三の駆動室３３内の圧力が適切に高いために、第三のポンプ室３１の外へと
運ぶことができ、それによって、入口弁３５が閉じ、出口弁３６が開くと、第三の仕切り
要素３２が弾性変形する。第三の弾力仕切り要素３２の位置は、第三のセンサ３９によっ
て記録できる。送出された吸引流体は分枝流路９３に、またそこから吸引流体回収容器５
０に到達する。
【００３７】
これらの相互関係はまた、第四の流体ポンプ４０にも同様に当てはまる。吸引流体は、
入口弁４５が開いていると、分枝流路９２に沿って第七の容積を有する第四のポンプ室４
１に流れ込むことができる。第四のポンプ室４１に隣接して、第八の容積を有する第四の
駆動室４３があり、その中に第四の駆動流体４７が比例弁４８によって流れ込むことがで
きる。第四の駆動室４３の中の圧力が第四のポンプ室４１内より高いと、第四の弾性仕切
り要素４２は相応に変形し、したがって、第七の容積がより小さくなり、第八の容積はよ
り大きくなる。第四の弾性仕切り要素４２の位置の変化は、センサ４９によって記録でき
る。入口弁４５が閉じ、出口弁４６が開いている場合、吸引流体はすると、第四の流体ポ
ンプ４０から出て、分枝流路９４の中に流れ込むことができる。２つの分枝流路９３およ
び９４はその後合流し、すると、吸引流体が吸引流体回収容器５０へと誘導される。
【００３８】
入口弁１５および２５は、出口弁１６および２６の下方に空間的に位置付けられる。こ
れはまた、入口弁３５および４５にも当てはまり、これらは出口弁３６および４６の下方
に位置付けられる。これにより、潅流流体または吸引流体中の気泡が急速に上方に放出さ
れ、ポンプ室の中に泡が溜まりえない状況を容易に達成できることを意味する。
【００３９】
図１の表現は非常に概略的であり、ポンプ室１０、２０、３０、および４０は長方形の
断面で示されている。現実には、前記ポンプ室１０、２０、３０、および４０は円または
楕円の断面を有することができ、それによってそれぞれの弾性仕切り要素１２、２２、３
２、および４２は、弾性変形しても、それぞれのポンプ室１０、２０、３０、および４０
の内壁に対する所定の位置に保持しやすく、それによってその中に収容された流体を容易
に押し出すことができる。
【００４０】
図２は、第一の流体ポンプ１０の第一のポンプ室１１のための入口弁１５および出口弁
１６の切換え状態、ならびに第二の流体ポンプ２０の第二のポンプ室２１のための入口弁
２５およびそれに関連する出口弁２６の切換え状態の概略図を示す。ポンプ室１１および
２１はどちらも、潅流流体で満たされている。潅流流体の充満レベルは、それぞれのポン
プ室の中の水平の影線の一番上の影線の高さによって示されている。それぞれのポンプ室
の中に潅流流体が低圧で収容されているとき、特定のポンプ室の中の水平の影線間の距離
は比較的大きい。それぞれのポンプ室の中に潅流流体が高圧で収容されているとき、特定
のポンプ室の中の水平の影線間の距離は比較的小さい。
【００４１】
第一の切換え状態ＩＺ１で、第一のポンプ室１１には所定の圧力ｐ（ＩＲＲ１）で潅流
流体が満たされていると仮定する。第一の入口弁１５は閉じ、第一の出口弁１６は開いて
いる。第一の駆動室１３（図２には示されていない）には、所定の圧力があり、したがっ
て、圧力ｐ（ＩＲＲ１）の潅流流体は潅流流体流路の分枝流路８３に、またそこから手術
用ハンドピースへと流れ込むことができる。第二のポンプ室２１にはほとんど潅流流体３
が入っていない。第二の入口弁２５が閉じ、第二の出口弁２６も同じく閉じている。切換
え状態ＩＺ２で、第二の入口弁２５は開き、したがって、潅流流体が潅流流体容器２から
第二のポンプ室２１へと流れることができる。このために、第二の駆動室２３内の圧力は
、それが第二のポンプ室２１内の圧力より低くなるように調整される。したがって、第二
のポンプ室２１内に負圧が発生し、潅流流体が吸い込まれる。所定の量の潅流流体が流れ
込むと、これは第二のセンサ２９によって弾性仕切り要素２２の位置に基づいて記録され
、第二の入口弁２５が閉じ、これは切換え状態ＩＺ３を参照のこと。その後、第二の駆動
室２３内の圧力が上昇し、それによって所定の潅流圧力ｐ（ＩＲＲ１）が第二のポンプ室
２１内に発生し、これについては切換え状態ＩＺ４を参照のこと。切換え状態ＩＺ５で、
第二の出口弁２６が開き、したがって、圧力ｐ（ＩＲＲ１）を受けた潅流流体は、分枝流
路８４に流れ込むことができる。したがって、例えば２０ミリ秒間などの短時間にわたり
、同じ圧力ｐ（ＩＲＲ１）を受けた潅流流体は第三の分枝流路８３および第四の分枝流路
８４に流れ込む。切換え状態ＩＺ１からＩＺ５の間に、第一のポンプ室１１内に収容され
た潅流流体が流れ出る。
【００４２】
その後、第一の出口弁１６が閉じ（切換え状態ＩＺ６参照）、したがって、それ以上潅
流流体が第一のポンプ室１１から分枝流路８３に流れ込むことができない。これは、第一
のポンプ室１１の中の潅流流体がほとんど完全に流出した瞬間に行われる。しかしながら
、潅流流体は引き続き、圧力ｐ（ＩＲＲ１）を受けて第二のポンプ室２１から潅流流体流
路の分枝流路８４の中に、またそこから手術用ハンドピース５へと流れる。
【００４３】
切換え状態ＩＺ７では、第一の入口弁１５が開き、第一の駆動室１３の中に第一のポン
プ室１１より低い圧力が付与され、そのため、潅流流体は、吸引によって潅流流体容器２
から第一のポンプ室１１に流れ込むことができる。第一のポンプ室１１に十分な潅流流体
が入っていると、これは第一のセンサ１９によって第一の弾性仕切り要素１２の位置に基
づいて記録できるが、第一の入口弁１５が切換え状態ＩＺ８で閉じる。その後、切換え状
態ＩＺ９で、第一の駆動室１３には、第一のポンプ室１１内が所定の圧力ｐ（ＩＲＲ１）
となるような圧力が付与される。切換え状態ＩＺ１０で、第一の出口弁１６が開き、その
ため、潅流流体は第三の分枝流路８３に流れ込むことができる。
【００４４】
切換え状態ＩＺ５からＩＺ１０の間に、第二の出口弁２６が開き、そのため、潅流流体
は圧力ｐ（ＩＲＲ１）を受けて第四の分枝流路８４に流れ込む。切換え状態ＩＺ１０で、
第一の出口弁１６は、潅流流体が第二のポンプ室２１の中からほとんどなくなった瞬間に
開く。これは、第二のセンサ２９によって、第二の弾性仕切り要素２２の位置を介して記
録できる。
【００４５】
切換え状態ＩＺ１０は短時間のみ存在し、これは例えば２０ミリ秒間である。その後、
再び第一の切換え状態ＩＺ１が続き、そこで第二の出口弁２６が閉じる。
【００４６】
切換えサイクルＩＺ１からＩＺ１０は、潅流流体容器２が空になるまで繰り返すことが
できる。
【００４７】
図３は、第三の流体ポンプ３０の第三のポンプ室３１の入口弁３５および出口弁３６の
切換え状態、ならびに第四の流体ポンプ４０の第四のポンプ室４１の入口弁４５およびそ
れに関連する出口弁４６の切換え状態の概略図を示す。ポンプ室３１および４１のどちら
にも、吸引流体が充填されている。吸引流体の充填レベルは、それぞれのポンプ室の水平
の影線の一番上の影線の高さによって示されている。それぞれのポンプ室内に吸引流体が
低圧で収容されているとき、それぞれのポンプ室内の水平の影線間の距離は比較的大きい
。それぞれのポンプ室内に吸引流体が高圧で収容されているとき、それぞれのポンプ室内
の水平の影線間の距離は比較的小さい。
【００４８】
切換え状態ＡＺ１では、第三の入口弁３５が開き、第三の出口弁３６が閉じている。第
三の駆動室３３内の圧力は第三のポンプ室３１内より低く、そのため、吸引流体は眼６か
ら手術用ハンドピース５へと、またそこから吸引流体流路９に沿って第三のポンプ室３１
へと吸引される。切換え状態ＡＺ１では、第四のポンプ室４１には吸引流体が充填され、
第四の入口弁４５および第四の出口弁４６が閉じている。
【００４９】
次の切換え状態ＡＺ２では、第四の出口弁４６が開き、所定の圧力が第四の駆動室４３
に付与され、したがって吸引流体が第四の出口弁４６を通って第四のポンプ室４３から流
れ出て、そこから吸引流体回収容器５０までの分枝流路９４に流れ込むことができる。そ
れと同時に、第三のポンプ室３１にはますます多くの吸引流体が満たされる。第四のポン
プ室４１がほとんど空であると、第三の切換え状態ＡＺ３で、第四の出口弁４６が閉じる
。第三のポンプ室３１には依然として吸引流体が満たされているか、またはほとんど満た
されている。第四のポンプ室４１にはほとんど吸引流体が入っておらず、これについては
切換え状態ＡＺ４を参照されたい。第三のポンプ室３１が完全に、またはほとんど完全に
潅流流体で満たされているとき、これは第三のセンサ３９によって判断でき、第五の切換
え状態ＡＺ５で第四の入口弁４５が開き、そのため、吸引流体は分枝流路９１に沿ってだ
けでなく、分枝流路９２に沿っても流れることができる。第三の入口弁３５および第四の
入口弁４５が同時に開き、吸引流体が所定の圧力ｐ（ＡＳＰ１）を受けて吸い込まれるこ
の状態は、約２０ミリ秒間だけ存在する。その後、切換え状態ＡＺ６で第三の入口弁３５
は閉じたままであり、第四の入口弁４５は引き続き開いたままで、吸引流体を吸い込む。
第三のポンプ室３１では、その中にある吸引流体のために、より高い圧力が付与される。
【００５０】
切換え状態ＡＺ７では、第三の出口弁３６が開き、吸引流体が第三のポンプ室３１から
出て分枝流路９３の中に、またそこから吸引流体回収容器５０へと流れることが可能とな
る。第三のポンプ室３１がほとんど空になると、切換え状態ＡＺ８で第三の出口弁３６が
閉じる。第四のポンプ室４１は依然として吸引流体で満たされており、これについては切
換え状態ＡＺ９を参照のこと。切換え状態ＡＺ１０で、第三の入口弁３５が開き、第四の
入口弁４５は約２０ミリ秒間だけ開いたままとなる。前記切換え状態ＡＺ１０では、それ
ゆえ、吸引流体が第三のポンプ室３１および第四のポンプ室４１によって吸い込まれる。
このように同時に吸い込まれることにより、その後の切換え状態ＡＺ１への移行が吸引流
体流路内に脈動または圧力衝撃を生じることなく行われる。
【００５１】
切換え状態ＡＺ１０の後、再び上述のような切換え状態ＡＺ１が続く。
【００５２】
図４は、潅流流体流路と吸引流体流路の時間に応じた圧力プロファイルと体積流れのプ
ロファイルの概略的なグラフを示す。グラフ２００は潅流流体流路の中の圧力のプロファ
イルを示す。グラフ３００は眼圧のプロファイルを示す。グラフ４００は吸引流体流路内
の圧力のプロファイルを示す。グラフ５００は潅流流体流路の中の体積流れのプロファイ
ルを示す。グラフ６００は吸引流体流路内の体積流れの分布を示す。以下の説明の中で、
グラフ内に示されている参照符号はその都度明示される。
【００５３】
まず、例えば、第一の流体ポンプ１０の第一のポンプ室１１の中では一定の圧力であり
（２０１参照）、潅流流体はまだ流れていない（５０１参照）と仮定する。眼圧は一定の
静止値を有し（３０１参照）、吸引流体流路内には正圧があり（４０１参照）、そのため
、まだ何も吸引されていない。吸引流体流路の中では、まだ体積流れがない（６０１参照
）。
【００５４】
時間Ｔ１で、出口弁１６が開き、駆動室１３に、対応する体積流れにより圧力が発生し
（２０２および５０２参照）、潅流流体が所定の圧力ｐ（ＩＲＲ１）を受けて流れ出るこ
とができるようになる（２０３および５０３参照）。第三の入口弁３５が開き、そのため
、吸引流体が第三のポンプ室３１によって吸い込まれ（６０２参照）、そこで吸引流体流
路内の負圧が増大し（４０２参照）、所定の数値ｐ（ＡＳＰ１）に到達して（４０３参照
）、その後、対応する体積流れが発生する（６０３参照）。
【００５５】
潅流流体が潅流流体容器の静水圧によってのみ提供される先行技術によるシステムの場
合、眼圧は吸引のための吸気圧力を利用して低下する（グラフ３００の中では破線とその
中の３０２参照）。圧力は数値３０３だけ低下し、これは眼までの潅流ホースラインの水
圧耐性と潅流ライン内の体積流れからの積に対応する。しかしながら、本発明によるシス
テムの場合、潅流流体流路内の圧力は時間Ｔ１にこの数値だけ上昇し（２０２および２０
３参照）、そのため、眼圧は吸引中に変化しないままである（参照符号３０４参照）。
【００５６】
水晶体小片による詰まり（閉塞）が吸引流体流路内、例えば手術器具５の針内で発生す
ると、吸引流体流路内の体積流れが急速にゼロに低下する（６０４参照）。閉塞を解消す
るために、吸引流体流路内の負圧が増大し（４０４参照）、潅流流体流路内の体積流れが
ゼロに低下する（５０４参照）。
【００５７】
先行技術によるシステムの場合、眼圧は閉塞の開始と共に上昇し、さらには短時間にわ
たり静止状態より高い数値まで上昇する（３０５参照）が、これは患者にとって非常に危
険となりうる。しかしながら、本発明によるシステムの場合、この時点で動作中の第一ま
たは第二の流体ポンプの駆動室の中で、このような圧力は、隣接するポンプ室内で、圧力
が３０５による過去において既知のプロファイルと逆に低下する（２０４参照）。したが
って、潅流圧力は、慣例的に吊り下げられる潅流流体容器に関する静水圧より低い数値ま
で短時間だけ低下し、その後、前記静水圧に保持される。その結果として実現されるのは
、閉塞開始時であっても眼圧が一定に保持されることである（３０６参照）。
【００５８】
その後、閉塞が存在する間に、潅流流体流路および吸引流体流路内の体積流れはゼロで
変化しない（５０５および６０５参照）。次に閉塞が再び解消すると（４０５参照）、吸
引流体が吸引流体流路の中に再び流れ込み（６０６参照）、第三のポンプ室３１または第
四のポンプ室４１に到達でき、これは開いているのが入口弁３５か入口弁４５の何れかに
よって異なる。この時点で、現在充填可能なポンプ室内の負圧が減少し、そのため、ポン
プ室と駆動室との間の圧力差が小さくなる。これは、関連する弾性仕切り要素を移動させ
、この移動は流体ポンプの、それに関連するセンサによって記録される。その後、潅流流
体流路の中で、その時点で動作中の流体ポンプの駆動室は、潅流流体流路内の圧力が所定
のプロファイルに応じて上昇する（２０５と、体積流れに関しては５０６参照）。これに
よって眼圧は低下しないか、わずかしか低下しない（３０７参照）。前記低下は、先行技
術によるシステムの場合より大幅に弱い（３０８参照）。
【００５９】
このような閉塞の解消後、駆動室は、閉塞前と同様に再び制御される。
【符号の説明】
【００６０】
１  コンソール
２  潅流流体容器
３  潅流流体
４  カセット
５  手術器具
６  治療対象眼
８  潅流流体流路
１０  第一の流体ポンプ
１１  第一のポンプ室
１２  第一の弾性仕切り要素
１３  第一の駆動室
１４  第一の弾性仕切り要素の縁
１５  入口弁
１６  出口弁
１７  第一の駆動流体
１９  第一のセンサ
２０  第二の流体ポンプ
２１  第二のポンプ室
２２  第二の弾性仕切り要素
２３  第二の駆動室
２４  第二の弾性仕切り要素の縁
２５  入口弁
２６  出口弁
２７  第二の駆動流体
２９  第二のセンサ
３０  第三の流体ポンプ
３１  第三のポンプ室
３２  第三の弾性仕切り要素
３３  第三の駆動室
３４  第三の弾性仕切り要素の縁
３５  入口弁
３６  出口弁
３７  第三の駆動流体
３９  第三のセンサ
４０  第四の流体ポンプ
４１  第四のポンプ室
４２  第四の弾性仕切り要素
４３  第四の駆動室
４４  第四の弾性仕切り要素の縁
４５  入口弁
４６  出口弁
４７  第四の駆動流体
４９  第四のセンサ
５０  吸引流体回収容器
１００  システム
【図１】
2019022715.tif 000003
【図２】
2019022715.tif 000004
【図３】
2019022715.tif 000005
【図４】
2019022715.tif 000006